(57)【要約】【課題】  簡便に筐体内の温度上昇を抑えることのできるディスク式撮影装置を提案する。【解決手段】ＤＶＤなどのディスク（ディスク状記録媒体）１５単体で使用するディスク式撮影装置で、ディスク１５の対向面に、このディスク１５の回転中心側より放射状に複数の溝２１ｂを設け、またこのディスク１５の外周と回転中心付近に対応させて、このディスク１５の対向面に外気と連通する開孔２０ａ，２０ｂを設ける。ディスク１５の回転によって生じるディスク１５周辺の空気の流れによって外気の吸入と筐体１０内の暖められた空気の排出を行う。【選択図】      図１
2005063559.tif 000002
【特許請求の範囲】
【請求項１】
ディスク状記録媒体を使用するディスク式撮影装置において、
前記ディスク状記録媒体と対向する面に、前記ディスク状記録媒体の回転中心側より放射状に複数の溝または突起を設けた
ことを特徴とするディスク式撮影装置。
【請求項２】
請求項１記載のディスク式撮影装置において、
前記ディスク状記録媒体と対向する前記面を、前記ディスク状記録媒体の収納部の蓋体の内面とした
ことを特徴とするディスク式撮影装置。
【請求項３】
請求項１または２記載のディスク式撮影装置において、
前記溝または突起の形状が渦巻形状とされた
ことを特徴とするディスク式撮影装置。
【請求項４】
請求項１，２または３記載のディスク式撮影装置において、
前記ディスク状記録媒体の外周と回転中心付近に対応させて、前記ディスク状記録媒体と対向する面に外気との連通孔を設けた
ことを特徴とするディスク式撮影装置。
【発明の詳細な説明】
【技術分野】
【０００１】
本発明は、例えばＤＶＤなどの光学ディスクを記録媒体として使用するディスクドライブと、ビデオカメラが一体化されたディスク式撮影装置に関する。
【背景技術】
【０００２】
従来、ＤＶＤ（digital versatile disc）などの光ディスクを記録媒体としてビデオ撮影に用いたディスク式撮影装置が提案されている（特許文献１参照）。
特許文献１には、光ディスクドライブと一体化された光ディスク付きビデオカメラ（撮影装置）が開示されている。この光ディスク付きビデオカメラ（撮影装置）は、ＤＶＤディスクをカートリッジに収納したままディスク収納部に装着したり取出したりすることができるようにした光ディスクのドライブと、ビデオカメラが一体化された小型のディスク式撮影装置である。
【特許文献１】特開２００１−１１１８７７号公報（第２頁、図１３）
【発明の開示】
【発明が解決しようとする課題】
【０００３】
しかしながら、従来の特許文献１に開示されているＤＶＤディスクを使用する小型のディスク式撮影装置は、コンパクト化に伴い高密度実装された回路部品からの発熱が大きなものとなっており、筐体内で部分的な温度上昇により不都合が生じる虞があった。
また、一般に電子機器の冷却にはペルチェ効果を利用した電子冷却ユニットや空冷ファンなどが用いられるが家庭用の撮影装置ではスペース、ノイズ、消費電力の点から採用することが困難であった。
【０００４】
本発明は、かかる点に鑑み、筐体を大きくすることなく簡便に筐体内の温度上昇を抑えることのできるディスク状記録媒体を使用するディスク式撮影装置を提案することを目的とする。
【課題を解決するための手段】
【０００５】
本発明のディスク式撮影装置は、ディスク状記録媒体を使用するディスク式撮影装置において、このディスク状記録媒体と対向する面に、このディスク状記録媒体の回転中心側より放射状に複数の溝または突起を設けたものである。
【０００６】
このように構成したので本発明のディスク式撮影装置によれば、ディスク状記録媒体の回転により生じる空気の流れでディスク状記録媒体周辺の暖められた空気が放射状の複数の溝または突起に沿って移動するので、筐体を大きくすることなく簡便に筐体内の温度が平均化し、温度上昇を抑えることができる。
【０００７】
また、本発明のディスク式撮影装置は、請求項１記載のディスク式撮影装置において、このディスク状記録媒体と対向するこの面を、このディスク状記録媒体の収納部の蓋体の内面としたものである。
【０００８】
このように構成したので本発明のディスク式撮影装置によれば、ディスク状記録媒体はディスクカートリッジを用いずにディスク状記録媒体の収納部に装着され、このディスク状記録媒体の上に放射状に複数の溝または突起が配されるものとなるので、ディスク状記録媒体の回転により生成される空気の流れでディスク状記録媒体周辺の暖められた空気が移動して筐体内の温度が平均化し、温度上昇を抑えることができる。
【０００９】
また、本発明のディスク式撮影装置は、請求項１または２記載のディスク式撮影装置において、この溝または突起の形状が渦巻形状とされたものである。
【００１０】
このように構成したので本発明のディスク式撮影装置によれば、ディスクの回転により生成される空気の流れに方向性が付与されるものとなる。
【００１１】
また、本発明のディスク式撮影装置は、請求項１，２または３記載のディスク式撮影装置において、このディスク状記録媒体の外周と回転中心付近に対応させて、このディスク状記録媒体と対向する面に外気との連通孔を設けたものである。
【００１２】
このように構成したので本発明のディスク式撮影装置によれば、ディスク状記録媒体の回転によりディスク状記録媒体周辺の空気が動き、また外周と回転中心付近に連通孔を設けたので、一方の連通孔から吸引された空気が複数の溝または突起に沿ってディスク状記録媒体の収納部に導入され、他方の連通孔から排出される空気の流れが生じ、この際筐体内の熱が効率よく外気に放散され、筐体内の温度上昇を抑えることができる。
【発明の効果】
【００１３】
本発明のディスク式撮影装置によれば、ディスク状記録媒体の回転により生じる空気の流れでディスク状記録媒体周辺の暖められた空気が放射状の複数の溝または突起に沿って移動して筐体内の温度が平均化し、温度上昇が抑えられる。
【発明を実施するための最良の形態】
【００１４】
以下、本発明ディスク式撮影装置を実施するための最良の形態の例を図１〜３を参照して説明する。
【００１５】
本例のディスク式撮影装置は、映像信号を得るビデオカメラと、外径略８ｃｍのＤＶＤディスクそのものをディスクカートリッジを用いずに装着・回転させて映像信号と音声信号とを記録及び再生するための光ディスクドライブが一体化されたものである。
【００１６】
図３は、このディスク式撮影装置の全体外観を示し、このディスク式撮影装置の筐体１０は、プラスチックなどの合成樹脂材料により成形され、前面に対物レンズ１１、左側面に液晶表示モニタ１４を設け、対物レンズ１１の反対側の手前の面にビューファインダ１２と二次電池１９と電源スイッチ１６などを設ける。また、手前の面の右側には撮影モード切換えつまみ１７、ズームスイッチ、撮影開始・停止スイッチなどを配設する。
【００１７】
また、このディスク式撮影装置は、図３に示すように、液晶表示モニタ１４とは反対側の筐体１０の右側面に蓋体２０が設けられ、この蓋体２０の内側にディスク状記録媒体を裸の状態で装着・回転させる光ディスクドライブを設ける。
そして、この蓋体２０は、図１に示すように、ヒンジ構造によって筐体１０と略９０°をなす開状態とできるようにする。
図１で、１５はディスク状記録媒体（以下、ディスクという。）、１５ａはクランピング・エリアを示し、図示のように、クランピング・エリア１５ａはディスク１５の固定孔周りに設けられ、ここで回転するディスク１５を保持する。
ディスク１５は、蓋体２０を開けた状態でディスク１５の固定孔を回転軸に直接嵌め込んで装着され、この回転軸を中心に回転駆動される。そして、ディスク１５の裏側にディスク１５の回転駆動機構と光ピックアップ駆動機構を配設する。
【００１８】
このようにして、ビデオカメラで撮影した映像信号及びマイクロフォンで得た音声信号をディスク１５に記録したり、ディスク１５に記録された映像信号や音声信号を再生したりできるようになされている。
【００１９】
蓋体２０は、プラスチックなどの合成樹脂材料により成形され、図１に示すように、この蓋体２０の内側には円板２１を設ける。
円板２１は、弾性をもつゴム等の薄い円板で、図１に示すように、外径がディスク１５より少し小さく形成され、この円板２１の表面に、渦巻き状の浅い溝２１ｂをディスク１５の回転中心側より放射状に複数設ける。また、この円板２１の中心にディスク１５のクランピング・エリア１５ａより少し大きい孔２１ａを設ける。
そして、円板２１は、蓋体２０を閉めたときディスク１５の直上でディスク１５と接触せず小さい間隙を保つような厚さとして蓋体２０の内面に配設される。
さらに、円板２１には、蓋体２０との接合面側に、円板２１の孔２１ａの側壁を起点として連通孔２１ｃを４つ設ける。
【００２０】
また、蓋体２０の外側には、図２，図３に示すように、弧状に形成した開孔２０ａを２つ穿孔し、この開孔２０ａは蓋体２０の略中心に対して対向するように、円板２１の孔２１ａの径よりも大きな間隔で設ける。
そして、この２つの開孔２０ａが、円板２１の４つの連通孔２１ｃと連通し、蓋体２０を閉じたときディスク１５の収納部と外気が通気できるようにしている。
【００２１】
さらに、蓋体２０の外縁２０ｃの側面壁には略四角形状の開孔２０ｂを２つ設け、この開孔２０ｂの外縁２０ｃの内側には、図１に示すように、ひさし状の邪魔板を設ける。
【００２２】
このように構成したディスク式撮影装置では、蓋体２０を閉じてディスク１５を回転させると、ディスク１５の回転によって空気の流れが生じ、このとき、ディスク１５の直上に渦巻き状の浅い溝２１ｂが配されるので、ディスク１５上面にこの溝２１ｂに沿った空気の流れが生じる。
そして、ディスク１５の回転方向が、図１に示す矢印の方向のように時計回りで、円板２１の溝２１ｂが図示のような渦巻き方向の溝であるとき、空気は蓋体２０の外縁２０ｃの開孔２０ｂから邪魔板で拡散されながら吸引され、円板２１の連通孔２１ｃを介して、蓋体２０の中央部に設けられた２つの開孔２０ａから排出される。
これにより、ディスク１５周辺の暖められた空気も一緒に排出されるので、筐体１０内部の回路基板に実装されている半導体部品などの温度上昇、筐体１０の表面温度の上昇、レーザ光を出射する光ピックアップの温度上昇を抑制できる。
【００２３】
本例のディスク式撮影装置によれば、ディスク１５の回転によりディスク１５周辺の空気が動いて複数の渦巻状の溝に沿う空気の流れが生じるため、ディスク１５周辺の暖かい空気も一緒に排出され、内部の半導体部品の温度上昇と筐体１０の表面温度の上昇と光ピックアップの温度上昇の抑制ができる。
【００２４】
本例のディスク式撮影装置においては、蓋体２０を開けてディスク１５を筐体１０に装着して閉じたとき、蓋体２０の外縁２０ｃと筐体１０がそれぞれの溝と板状突起、またはそれぞれの段差で嵌め合うようにし、ディスク１５に照射する記録・再生用のレーザ光が外部に漏れず、また、外部からディスク１５の収納部に外光や水滴や塵埃が入らないように構成する。
【００２５】
図１に示すように、蓋体２０の開閉のためのヒンジ設置部分を除く領域である領域Ｒ１〜Ｒ５において、蓋体２０の外縁２０ｃは、図２に示す一部切欠き断面部のように、５種の異なる形態で形成される。
図２に示す領域Ｒ１〜Ｒ５で、蓋体２０の各形態は、同一領域内では、高さ方向の大きさは異なるが幅方向は略同じ大きさで略同じ構成となるように形成される。そして、図２の一部切欠き断面に示す蓋体２０の外縁２０ｃの形状に対応させて、筐体１０も５種の異なる形態で形成される。
すなわち、筐体１０と蓋体２０の開閉部を除くディスク１５の周辺において、蓋体２０が閉のとき蓋体２０の外縁２０ｃと係合する筐体１０の領域Ｒ１〜Ｒ５には、この領域Ｒ１〜Ｒ５に亘って嵌め合い手段１０ｂを設ける。
【００２６】
以下、図４，図５Ａ〜Ｅを参照して蓋体２０の外縁２０ｃと筐体１０の係合につき詳細に説明する。
図４は、図２に示す領域Ｒ１〜Ｒ５の筐体１０側の嵌め合い手段１０ｂの周辺のみを示した要部の模式図である。また、図５Ａ〜Ｅは、図１，図２に示す領域Ｒ１〜Ｒ５に対応して係合状態を示すものである。
以下では、要部の模式図の図４に示した領域Ｒ１〜Ｒ５での係合の説明を、図５Ａ〜Ｅを参照して行う。
【００２７】
図４の領域Ｒ１では、図５Ａに示すように、筐体１０には表面１０ａからの立下がり１０ｂ-1と受け面１０ｂ-2を設け、立下がり寸法をＬとする。一方、蓋体２０は単純折り曲げ形状となっており、この蓋体２０の上面から外縁２０ｃの下端面２０ｃ-1までの寸法を略Ｌとして形成する。そして、この下端面２０ｃ-1と受け面１０ｂ-2が係合する。
【００２８】
この領域Ｒ１では、筐体１０の表面１０ａの膨らみが大きくデザインされており、立下がり寸法Ｌが大きいので、このような単純な構造として筐体１０の表面１０ａと蓋体２０の表面からディスク１５の収納部へ到る経路の長さを十分確保したものである。
【００２９】
図４の領域Ｒ２では、図５Ｂに示すように、筐体１０の受け面１０ｂ-2の、筐体１０の表面１０ａからの立下り１０ｂ-1とは反対側の周縁に、板状突起１０ｂ-3を設けて溝を形成する。一方、蓋体２０の外縁２０ｃの内側にも板状突起２０ｃ-2を設けて溝を形成する。そして筐体１０の板状突起１０ｂ-3が蓋体２０の溝に、また、蓋体２０の下端面２０ｃ-1が筐体１０の溝の受け面１０ｂ-2と嵌め合うように係合する。
【００３０】
この領域Ｒ２では、筐体１０の膨らみが小さく立ち下がり寸法Ｌが小さいため領域Ｒ１のような構造にすると、筐体１０の表面１０ａと蓋体２０の表面からディスク１５の収納部へ到る経路長が不十分となるため、それぞれの溝と突起（凹凸）を噛み合わせるようにして経路を長くしたものである。
【００３１】
図４の領域Ｒ３では、図５Ｃに示すように、筐体１０の端部にディスク１５の収納部の面１０ｃに対して立下りＭの段差を設け、受け面１０ｂ-2が配される。一方、蓋体２０の外縁２０ｃは、下端面２０ｃ-1の内側から寸法が略Ｍの位置に段差を設け、下端面２０ｃ-1の板厚に対してその上部から折り曲げ部付近までの板厚を大きく形成する。そして、蓋体２０の下端面２０ｃ-1が、筐体１０の受け面１０ｂ-2と係合する。
【００３２】
この領域Ｒ３では、ディスク１５の装着・取外し時の経路に当たることから、この領域Ｒ３で指が引っかからないようにするため突起を設けることができない。そこで、筐体１０のこの領域では逆にディスク１５の収納部の面１０ｃより受け面１０ａ-2が寸法Ｍだけ低くなるような形状としている。そして、筐体１０に対して蓋体２０の外縁２０ｃをオーバーラップするように延長して筐体１０に設けた段差の受け面１０ｂ-2と係合させる。これにより、筐体１０の表面１０ａと蓋体２０の表面からディスク１５の収納部への経路を長くしたものである。
【００３３】
図４の領域Ｒ４では、図５Ｄに示すように、受け面１０ｂ-2が領域Ｒ３の延長となる筐体１０の端部に配され、ディスク１５の収納部の側となる内側の面１０ｄから高さＮの板状突起１０ｂ-4を設ける。一方、蓋体２０は外縁２０ｃの内側に板状突起２０ｃ-3を設けて溝を形成する。そして筐体１０の板状突起１０ｂ-4が蓋体２０の溝と嵌め合うようにして、蓋体２０下端面２０ｃ-1が、受け面１０ｂ-2と係合する。
【００３４】
この領域Ｒ４は、領域Ｒ３とＲ５の遷移領域である。この領域では、ディスク１５の装着・取外しにはさほど影響がないので領域Ｒ３の形態に対し、筐体１０の受け面１０ｂ-2の内側に板状突起を設け、一方、対応する蓋体２０にも外縁２０ｃの内側に板状突起２０ｃ-3を設けて凹部溝を形成する。そして、蓋体２０の外縁２０ｃが筐体１０に対して少しオーバーラップさせ、さらに筐体１０の板状突起と蓋体２０の溝が嵌め合うようにして、筐体１０の表面１０ａと蓋体２０の表面からディスク１５の収納部への経路を長くしたものである。
【００３５】
図４の領域Ｒ５では、図５Ｅに示すように、筐体１０の端部でディスク１５の収納部の面１０ｄから高さＰとなる板状突起の上面が受け面１０ｂ-2となり蓋体２０の下端面２０ｃ-1と係合する。一方、蓋体２０の外縁２０ｃは、下端面２０ｃ-1の内側に板状の突起を設け、突起の高さを下端面２０ｃ-1から略Ｐとする。
【００３６】
この領域Ｒ５では、蓋体２０と係合する筐体１０の端部が領域Ｒ１での筐体１０の膨らみに対応するような曲面にデザインされ、この端部が高さＰの板状突起となっている。このため、蓋体２０の外縁２０ｃは、筐体１０に対して領域Ｒ３，Ｒ４とは異なりオーバーラップするように形成することができず、蓋体２０の外縁２０ｃが外側に段差をもち内側に立ち下げ２０ｃ-4を設けることで筐体１０の表面１０ａと蓋体２０の表面からディスク１５の収納部への経路を長くしたものである。
【００３７】
上述の図５Ａ〜Ｅのようにして、蓋体２０が閉時に、領域Ｒ１〜Ｒ５で筐体１０に設けた嵌め合い手段１０ｂと蓋体２０の外縁２０ｃの立ち下がり部分が係合する。なお、図４に示す斜線領域は筐体１０の嵌め合い手段１０ｂの受け面１０ｂ-2を示し、この面が蓋体２０の外縁２０ｃの下端面２０ｃ-1と係合する。
【００３８】
このように構成したディスク式撮影装置では、蓋体２０が閉時の筐体１０に設けた領域Ｒ１〜Ｒ５での嵌め合い手段１０ｂにおいて、この嵌め合い手段１０ｂの受け面１０ｂ-2が蓋体２０の外縁２０ｃの端面と係合する。この蓋体２０と筐体１０が係合しているときの断面は、図５Ａ〜Ｅに示すように、溝や板状突起（凹凸）あるいは段差が組合わされた、いわば迷路のような断面形状とし、これにより筐体１０の表面１０ａと蓋体２０の表面からディスク１５の収納部までに到る経路の長さを十分確保したので、ディスク１５への記録時や再生時に照射するレーザ光が外部に漏れることがなく、また、外部から不要な外光や水滴や埃が中に入りにくいようにすることができる。ディスク１５を単体で装着しても安全確実に作動させることができ、多少の雨や砂ぼこりのもとでも不具合を生じさせないで使用できる。
【００３９】
さらに、蓋体２０の外縁２０ｃの端面や筐体１０に設けた嵌め合い手段１０ｂの溝や板状突起や段差は、射出成形で精度よく一体で形成できるので、レーザ光の外部への漏洩や、ディスク１５の収納部への外光や水滴や埃の侵入への対策が低コストで実現できる。
【００４０】
本例のディスク式撮影装置によれば、蓋体２０と筐体１０の隙間からレーザ光が外部に漏れることがなく、ディスク１５の収納部に不要な外光や水滴や埃が入りにくいものとできる。
【００４１】
さらに、蓋体２０の外縁２０ｃと筐体１０の嵌め合い手段１０ｂの構造も図５Ａ〜Ｅに示す形態に限らず、図６に示すように、蓋体２０と筐体１０の成形加工時に係合する複数の溝と板状突起（凹凸）をより多くして一体に成形することで、さらに外光や埃がディスク収納部に入りにくいものとすることができる。
【００４２】
尚、上述例では、蓋体２０内側の円板２１の溝２１ｂを、ディスク１５の回転中心側より放射状に複数の渦巻き状の溝としたが、この代わりに渦巻き状の連続した突起としてもよい。
【００４３】
この場合も、上述例と同様の作用効果が得られることは容易に理解できよう。
【００４４】
また、上述例では、放射状の複数の渦巻き状の溝または突起を円板２１の表面に設け、この円板２１を蓋体２０内側に配設したが、この代わりに、蓋体そのものに複数の渦巻き状の溝または突起を設けてもよい。
【００４５】
この場合も、上述例と同様の作用効果が得られることは容易に理解できよう。
【００４６】
また、本発明は、上述例に限ることなく本発明の要旨を逸脱しない範囲で種々変更できるものである。
【図面の簡単な説明】
【００４７】
【図１】本発明ディスク式撮影装置の実施の形態の例（蓋体開）を示す外観斜視図である。
【図２】図１で蓋体閉とした一部切欠き外観斜視図である。
【図３】本発明ディスク式撮影装置の実施の形態の例を示す外観斜視図である。
【図４】蓋体と筐体との係合状態の領域の説明に供する要部の外観斜視図である。
【図５】蓋体と筐体との係合状態の説明に供する図であり、Ａは領域Ｒ１、Ｂは領域Ｒ２、Ｃは領域Ｒ３、Ｄは領域Ｒ４、Ｅは領域Ｒ５の断面模式図である。
【図６】蓋体と筐体との係合状態の別の実施の態様を示す溝と板状突起の断面模式図である。
【符号の説明】
【００４８】
１０・・・・筐体、１０ａ・・・・表面、１０ｂ・・・・嵌め合い手段、１５・・・・ディスク（ディスク状記録媒体）、２０・・・・蓋体、２０ａ，２０ｂ・・・・開孔、２０ｃ・・・・外縁、２１・・・・円板、２１ａ・・・・孔、２１ｂ・・・・溝、２１ｃ・・・・連通孔
【図１】
2005063559.tif 000003
【図２】
2005063559.tif 000004
【図３】
2005063559.tif 000005
【図４】
2005063559.tif 000006
【図５】
2005063559.tif 000007
【図６】
2005063559.tif 000008